(57)【要約】【課題】間欠脱水動作の運転の初期の後に、洗濯物がアンバランス状態になっても異常振動の発生しない洗濯機を提供すること。【解決手段】安全装置２５を配置したコーナーおよびその対角に配置する防振装置２３の圧縮コイルばね３０の自由長を、他の２本の圧縮コイルばねより短くしたことにより、脱水時脱水兼洗濯槽２１内に衣類の偏りが生じ水槽２２が振れまわる際、水槽２２は支えている荷重の小さい、即ち圧縮コイルばね３０の自由長の短い方の防振装置側に倒れやすくなるので、間欠脱水動作の運転の初期の後にアンバランス状態になった時、その振動の揺れ方向を洗濯機本体のコーナー部に設けた安全装置２５の異常振動検知レバー２４側に強制することが可能となるので、水槽２２が激しく洗濯機本体１９に衝突する前に、洗濯物の片寄りを検知できる。【選択図】図１
2008067902.tif 000002
【特許請求の範囲】
【請求項１】
洗濯機本体と、前記洗濯機本体の上方を覆う上部外装体と、前記洗濯機本体内部に洗濯兼脱水槽を内蔵した水槽と、前記水槽を垂下弾性保持する４本の防振装置と、前記上部外装体内部に水槽の異常振幅を接触感知する安全装置と、前記防振装置には吊り棒と、吊り棒下端に配設したばね支持板と、前記ばね支持板の外周に設けた摩擦材が摺動する筒状のばね抑えと、前記支持板と前記ばね抑えとの間に圧縮コイルばねとを備え、前記安全装置は洗濯機本体の略コーナー部に配置し、安全装置を配置したコーナーおよびその対角に配置する防振装置の圧縮コイルばねの自由長を、他の２本の圧縮コイルばねより短くしたことを特徴とした洗濯機。
【請求項２】
洗濯機本体と、前記洗濯機本体の上方を覆う上部外装体と、前記洗濯機本体内部に洗濯兼脱水槽を内蔵した水槽と、前記水槽を垂下弾性保持する４本の防振装置と、前記上部外装体内部に水槽の異常振幅を接触感知する安全装置と、前記防振装置には吊り棒と、吊り棒下端に配設したばね支持板と、前記ばね支持板の外周に設けた摩擦材が摺動する筒状のばね抑えと、前記支持板と前記ばね抑えとの間に圧縮コイルばねとを備え、前記安全装置は洗濯機本体の略コーナー部に配置し、安全装置を配置したコーナーおよびその対角に配置する防振装置の圧縮コイルばねのばね乗数を、他の２本の圧縮コイルばねのばね乗数より小さくした洗濯機。
【請求項３】
洗濯機本体と、前記洗濯機本体の上方を覆う上部外装体と、前記洗濯機本体内部に洗濯兼脱水槽を内蔵した水槽と、前記水槽を垂下弾性保持する４本の防振装置と、前記上部外装体内部に水槽の異常振幅を接触感知する安全装置と、前記防振装置には吊り棒と、吊り棒下端に配設したばね支持板と、前記ばね支持板の外周に設けた摩擦材が摺動する筒状のばね抑えと、前記支持板と前記ばね抑えとの間に圧縮コイルばねとを備え、前記安全装置は洗濯機本体の略コーナー部に配置し、安全装置を配置したコーナーおよびその対角に配置する防振装置の吊り棒の長さを、他の２本のつり棒の長さより長くした洗濯機。
【発明の詳細な説明】
【技術分野】
【０００１】
本発明は、洗濯兼脱水槽の外側に位置する水槽を洗濯機本体の四隅から垂下弾性保持した防振装置を有する洗濯機に関するものである。
【背景技術】
【０００２】
従来この種の洗濯機は図３に示すような構成が一般的であった（例えば、特許文献１参照）。
【０００３】
図３に示すように水槽１は洗濯兼脱水槽２の外側に位置して脱水時の水を受けるもので、水槽１の下部にはモータ３とベルトで連結した減速機４を固着している。減速機４の駆動軸は二重構造になっており、外側の軸には洗濯兼脱水槽２を固定し、内側の軸には洗濯兼脱水槽２の内底部に回転自在に設けた攪拌翼５を固定している。また、水槽１は洗濯機本体６の四隅から防振装置７を介して垂下防振支持されている。
【０００４】
前記防振装置７の吊り棒８は、洗濯機本体６から水槽１に設けた支持片９を挿通し、この吊り棒８の下方部で、支持片９の下部には筒状のばね抑え１０を設けている。
【０００５】
防振装置７は、図４に示すように構成しており、ばね支持板１１は吊り棒８の下端部に設け、このばね支持板１１とばね抑え１０との間に圧縮コイルばね１２を介装している。ばね支持板１１の外周に摩擦材１３を設けている。前記摩擦材１３は、環状の平板に成形したゴム体と、このゴム体内部に設けたリング状のばね体１４とで構成している。このゴム体の径、厚さ、表面状態、ばね体の種類等を適切に選択して組み合わせることによって摩擦材１３のばね抑え１０に対する摩擦力を自由に設定し上下に摺動した際に減衰作用をさせている。
【０００６】
一方、図３において洗濯機本体６の上部には上部枠体１３を設けており、この上部枠体１３には衣類投入時に開閉する蓋１４を後方で軸支している。安全スイッチ１５は上部枠体１３の内部に装着し、蓋１４の開閉に応じてオン、オフするものである。また、安全スイッチ１５は下方に水槽１の異常振動を検知する異常振動検知レバー１６を備えており、製品の移動や転倒などを事前に検知し、脱水回転数が高くならないうちに脱水動作を止める検知機能を有している。
【０００７】
一般に全自動洗濯機においては、洗濯し排水した後に脱水行程へと移るが、脱水行程はモータのオン、オフを繰り返し行いながら洗濯物１７から水分を少しずつ出し、脱水回転数をある程度まで徐々に高めて行く、いわゆる間欠脱水動作を行いその後連続脱水を行うのが通常である。これは洗濯物１７からの洗剤液が急激に排出され、発泡による洗濯兼脱水槽２の回転不良即ちモータ３への過負荷を防止する為である。
【０００８】
脱水行程への移行時に洗濯物１７がアンバランス状態になった場合、前記間欠脱水の初期に水槽１が大きく揺れ、前記安全スイッチ１５の異常振動検知レバー１６を叩き、洗濯物１７のアンバランス状態を検知して脱水運転を停止する構成になっている。
【特許文献１】特開平１０−３２３４８７号公報
【発明の開示】
【発明が解決しようとする課題】
【０００９】
従来から脱水行程時の洗濯物のアンバランス状態を検知するための方法として、間欠脱水初期に水槽１が安全スイッチ１５の異常振動検知レバー１６の方向に揺れるように、洗濯機本体６内側にスポンジ１８等を貼付けて水槽１の揺れを調整していた。
【００１０】
しかし間欠脱水動作の初期を通過すると、水槽１の振れまわりが小さくなり、洗濯物１７のアンバランス状態を検知ができなくなる。したがって間欠脱水初期を通り過ぎた後に洗濯物が崩れてアンバランス状態になると、水槽１は洗濯機本体６に激しく衝突するなどの異常振動となり、洗濯機が倒れるなどの被害が発生する可能性があった。
【００１１】
従来は洗濯行程の最後に攪拌翼５を小刻みに反転し、衣類のアンバランス状態を解消する水流を設けていたが、最近は洗濯物１７の多様化と脱水時間の延長化により、脱水前や途中で使用者が洗濯物１７を取出したりする可能性が増加してきた。
【００１２】
例えば、使用者が洗濯物１７を洗濯兼脱水槽２中央に高く重ねて投入したり、通常の洗濯物１７の上にタオルケットの比較的大きな洗濯物を中央に投入した場合など、脱水回転数が３００ｒｐｍ程度まで上がると、タオルケットなどが遠心力により洗濯兼脱水槽２の片側に急激に移動し，脱水途中でアンバランス状態になる場合があり、脱水回転数が高まった時点で衣類のアンバランスが生じると、本来異常振動防止のため脱水運転を停止しなければならない脱水回転数以上の高回転数で運転してしまう危険状態になる。
【００１３】
上記のように、従来の方法では、間欠脱水動作の運転の初期を通り過ぎた後に洗濯物がアンバランス状態になった場合、それを検知できず、異常振動になり、水槽が激しく洗濯機本体に衝突し、異常騒音の発生や、本体または水槽の破損という不具合発生の可能性があった。
【００１４】
本発明は前記従来の課題を解決するもので、万が一間欠脱水動作の運転初期を通り過ぎた後に洗濯物がアンバランス状態になってもそれを検知することが可能となり、異常振動の発生しない洗濯機を提供することを目的とする。
【課題を解決するための手段】
【００１５】
前記従来の課題を解決するために、本発明の洗濯機は、洗濯機本体内部に洗濯兼脱水槽を内蔵した水槽を、垂下弾性保持する為の吊り棒と圧縮コイルばねとで構成した４本の防振装置と、洗濯機本体の略コーナー部に配置した安全装置とを備え、安全装置を配置したコーナーおよびその対角に配置する防振装置の圧縮コイルばねの自由長を、他の２本の圧縮コイルばねより短くしたものである。
【００１６】
これによって、脱水時には、脱水兼洗濯槽内に衣類の偏りが生じ水槽が振れまわる際、水槽は支えている荷重の小さい、即ち圧縮コイルばねの自由長の短い方の防振装置側に倒れやすくなるので、間欠脱水動作の運転の初期の後にアンバランス状態になった時、その振動の揺れ方向を洗濯機本体のコーナー部に設けた安全スイッチの異常振動検知レバー側に強制することが可能となるので、水槽が激しく洗濯機本体に衝突する前に、洗濯物の片寄りを検知できる。
【発明の効果】
【００１７】
本発明の洗濯機は、間欠脱水動作の運転初期を通り過ぎた後に洗濯物がアンバランス状態になった場合でも、水槽の揺れ方向を洗濯機本体のコーナー部に設けた安全スイッチの異常振動検知レバー側に強制することが可能となり、その異常振動を事前に検知し、異常振動の発生しない洗濯機を提供することが可能となる。
【発明を実施するための最良の形態】
【００１８】
本発明の請求項１記載の発明は、洗濯機本体と、前記洗濯機本体の上方を覆う上部外装体と、前記洗濯機本体内部に洗濯兼脱水槽を内蔵した水槽と、前記水槽を垂下弾性保持する４本の防振装置と、前記上部外装体内部に水槽の異常振幅を接触感知する安全装置と、前記防振装置には吊り棒と、吊り棒下端に配設したばね支持板と、前記ばね支持板の外周に設けた摩擦材が摺動する筒状のばね抑えと、前記支持板と前記ばね抑えとの間に圧縮コイルばねとを備え、前記安全装置は洗濯機本体の略コーナー部に配置し、安全装置を配置したコーナーおよびその対角に配置する防振装置の圧縮コイルばねの自由長を、他の２本の圧縮コイルばねより短くしたことにより、脱水工程での水槽を支える荷重を変えたものであり、これによって、脱水時脱水兼洗濯槽内に衣類の偏りが生じ水槽が振れまわる際、水槽は支えている荷重の小さい、即ち圧縮コイルばねの自由長の短い方の防振装置側に倒れやすくなるので、間欠脱水動作の運転の初期を通り過ぎた後にアンバランス状態になった時、水槽の振動の揺れ方向を洗濯機本体のコーナー部に設けた安全スイッチの異常振動検知レバー側に強制することが可能となる。
【００１９】
したがって水槽が激しく洗濯機本体に衝突する前に、洗濯物の片寄りを検知できるので、水槽が激しく洗濯機本体に衝突し、異常騒音の発生や、本体または水槽の破損を防止する事ができる。
【００２０】
本発明の請求項２記載の発明は、洗濯機本体と、前記洗濯機本体の上方を覆う上部外装体と、前記洗濯機本体内部に洗濯兼脱水槽を内蔵した水槽と、前記水槽を垂下弾性保持する４本の防振装置と、前記上部外装体内部に水槽の異常振幅を接触感知する安全装置と、前記防振装置には吊り棒と、吊り棒下端に配設したばね支持板と、前記ばね支持板の外周に設けた摩擦材が摺動する筒状のばね抑えと、前記支持板と前記ばね抑えとの間に圧縮コイルばねとを備え、前記安全装置は洗濯機本体の略コーナー部に配置し、安全装置を配置したコーナーおよびその対角に配置する防振装置の圧縮コイルばねのばね乗数を、他の２本の圧縮コイルばねのばね乗数より小さくしたことにより、脱水工程での水槽を支える荷重を変えたものであり、これによって、脱水時脱水兼洗濯槽内に衣類の偏りが生じ水槽が振れまわる際、水槽は支えている荷重の小さい、即ち圧縮コイルばね乗数の小さい対角方向に揺れやすくなるので、間欠脱水動作の運転の初期を通り過ぎた後にアンバランス状態になった時、水槽の振動の揺れ方向を洗濯機本体のコーナー部に設けた安全スイッチの異常振動検知レバー側に強制することが可能となる。
【００２１】
したがって水槽が激しく洗濯機本体に衝突する前に、洗濯物の片寄りを検知できるので、水槽が激しく洗濯機本体に衝突し、異常騒音の発生や、本体または水槽の破損を防止する事ができる。
【００２２】
本発明の請求項３記載の発明は、洗濯機本体と、前記洗濯機本体の上方を覆う上部外装体と、前記洗濯機本体内部に洗濯兼脱水槽を内蔵した水槽と、前記水槽を垂下弾性保持する４本の防振装置と、前記上部外装体内部に水槽の異常振幅を接触感知する安全装置と、前記防振装置には吊り棒と、吊り棒下端に配設したばね支持板と、前記ばね支持板の外周に設けた摩擦材が摺動する筒状のばね抑えと、前記支持板と前記ばね抑えとの間に圧縮コイルばねとを備え、前記安全装置は洗濯機本体の略コーナー部に配置し、安全装置を配置したコーナーおよびその対角に配置する防振装置の吊り棒の長さを他の２本のつり棒の長さより長くしたことにより、脱水工程での水槽を支える荷重を変えたものであり、これによって、脱水時脱水兼洗濯槽内に衣類の偏りが生じ水槽が振れまわる際、水槽は支えている荷重の小さい、即ち吊り棒の長さの長い対角方向に揺れやすくなるので、間欠脱水動作の運転の初期の後にアンバランス状態になった時でも、水槽の振動の揺れ方向を洗濯機本体のコーナー部に設けた安全スイッチの異常振動検知レバー側に強制することが可能となる。
【００２３】
したがって水槽が激しく洗濯機本体に衝突する前に、洗濯物の片寄りを検知できるので、水槽が激しく洗濯機本体に衝突し、異常騒音の発生や、本体または水槽の破損を防止する事ができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における洗濯機の分解斜視図を示すものである。
【００２６】
図１において、洗濯機本体１９と、前記洗濯機本体１９の上方を覆う上部外装体２０と、前記洗濯機本体１９内部に洗濯兼脱水槽２１を回転自在に軸支した水槽２２を配する。
【００２７】
前記水槽２２は、４本の防振装置２３にて洗濯機本体１９上部の四隅より垂下保持される。
【００２８】
前記上部外装体２０には、衣類のアンバランス状態などで前記洗濯兼脱水槽２１が回転した際、水槽２２が異常振れ回りして所定の振幅以上振れた時に水槽２２に接触感知する異常振動検知レバー２４を下方に延設した安全装置２５を配設する。
【００２９】
前記防振装置２３の構成は、図２に示すように、吊り棒２６と、吊り棒２６下端に配設したばね支持板２７と、前記ばね支持板２７の外周に設けた摩擦材２８が摺動する筒状のばね抑え２９と、前記ばね支持板２７と前記ばね抑え２９との間に圧縮コイルばね３０を配したものである。
【００３０】
前記安全装置２５は、洗濯機本体１９に向かって左後方の略コーナー部に設け、安全装置の有するコーナーと、その対角に有する防振装置２３の圧縮コイルばね３０の長さを、他の２本の圧縮コイルばねより短くしたものである。この構成は、圧縮コイルばねの線材材質および線材直径、コイル径と、コイル巻き数等を同じに設定して、自由長を変えることにより構成する。
【００３１】
そして、図１において、圧縮コイルばね３０の自由長を短くした防振装置２３−ａと２３−ｂは、安全装置２５を有する左後方のコーナー部と、その対角である右前方のコーナー部に配置する。
【００３２】
以上のように構成された洗濯機について、以下その動作、作用を説明する。
【００３３】
まず、洗濯工程では、洗濯兼脱水槽２１および水槽２２に水が入っているので水の重量により圧縮コイルばね３０は全圧縮状態となり、圧縮コイルばね３０の長さの影響は無い。
【００３４】
しかし脱水工程に移行すると、水槽２２内の洗濯水は排水されるので、圧縮コイルばねの反力により水槽２２は上方に持ち上げられるが、水槽２２の荷重は主に圧縮コイルばね３０の自由長の長い方の防振装置２３−ｃと２３−ｄに支えられる。従って水槽２２は，脱水時振れまわりの際、支える荷重の小さい、即ち圧縮コイルばね３０の短い方の防振装置２３−ａと２３−ｂ側に倒れやすくなり、そこで、圧縮コイルばね３０の短い防振装置２３−ａと２３−ｂを対角線上に配置した場合、水槽はその対角方向に振れやすくなる。
【００３５】
安全装置２５は、洗濯機本体１９の略コーナー部（左後ろ）に設けられているから、間欠脱水動作の運転の初期の後にアンバランス状態になった時、激しく水槽２２が振動をはじめるが、その振動の揺れ方向を洗濯機本体１９のコーナー部に設けた安全装置２５の異常振動検知レバー２４側に強制することが可能となる。従って、水槽２２が激しく洗濯機本体１９に衝突する前に、洗濯物の片寄りを検知できる。
【００３６】
（実施の形態２）
本発明の第２の実施の形態における図は、第１の実施の形態における図１および図２と同一である。
【００３７】
本発明は、安全装置２５の有するコーナー部とその対角に有する防振装置２３の圧縮コイルばね３０のばね乗数を他の２本の圧縮コイルばねのばね乗数より小さくしたものである。この構成は、圧縮コイルばねのコイル径と自由長を同一にして、コイル巻き数あるいは線材材質および線材直径に差を設けることにより、ばね乗数を変えることが出来る。
【００３８】
脱水工程では、水槽２２の荷重は主に圧縮コイルばね３０ばね乗数の大きい方の防振装置２３−ｃと２３−ｄに支えられる。従って脱水工程では、水槽２２は脱水振れまわりの際、支える荷重の小さい、圧縮コイルばね３０のばね乗数の小さい方の防振装置２３−ａと２３−ｂ側に倒れやすくなり、水槽２２は圧縮コイルばね３０の乗数の小さい対角方向に揺れやすくなる。
【００３９】
よって、間欠脱水動作の運転の初期の後にアンバランス状態になった時、激しく水槽２２が振動をはじめるが、その振動の揺れ方向を洗濯機本体１９のコーナー部に設けた安全装置２５の異常振動検知レバー２４側に強制することが可能となる。従って、水槽２２が激しく洗濯機本体１９に衝突する前に、洗濯物の片寄りを検知できる。
【００４０】
（実施の形態３）
本発明の第３の実施の形態における図は、第１の実施の形態における図１および図２と同一である。
【００４１】
本発明は、安全装置２５の有するコーナー部とその対角に有する防振装置２３の吊り棒２６の長さを他の２本のつり棒の長さより長くしたものである。この構成は、圧縮コイルばね３０を４個とも同じ設定とし、吊り棒２６の長さを変えるものであり、水槽２２を垂下支持した時の防振装置の受ける荷重が、吊り棒２６長さに反比例して変わる。
【００４２】
脱水行程では、水槽２２の荷重は主に短い吊り棒２６の防振装置２３−ｃと２３−ｄ側に支えられる。従って脱水工程では、水槽２２は脱水振れまわりの際、支える荷重の小さい側、即ち長い吊り棒の防振装置２３−ａと２３−ｂ側に倒れやすくなり、水槽２２は長い吊り棒防振装置とその対角方向に揺れやすくなる。
【００４３】
よって、間欠脱水動作の運転の初期の後にアンバランス状態になった時、激しく水槽２２が振動をはじめるが、その振動の揺れ方向を洗濯機本体１９のコーナー部に設けた安全装置２５の異常振動検知レバー２４側に強制することが可能となり、水槽２２が激しく洗濯機本体１９に衝突する前に、洗濯物の片寄りを検知できる。
【産業上の利用可能性】
【００４４】
以上のように、本発明にかかる洗濯機は、複数の防振装置の仕様の組合せにより簡単に異常振動の防止が可能となるので、アンバランスを生じる回転体を防振支持する脱水装置のような機器の防振装置等の用途にも適用できる。
【図面の簡単な説明】
【００４５】
【図１】本発明の実施の形態１における洗濯機の分解斜視図
【図２】同上洗濯機の防振装置の部分縦断面図
【図３】従来の洗濯機の縦断面図
【図４】従来の洗濯機の防振装置の部分縦断面図
【符号の説明】
【００４６】
１９  洗濯機本体
２０  上部外装体
２１  洗濯兼脱水槽
２２  水槽
２３  防振装置
２４  異常振動検知レバー
２５  安全装置
２６  吊り棒
２７  ばね支持板
２８  摩擦材
２９  ばね抑え
３０  圧縮コイルばね
【図１】
2008067902.tif 000003
【図２】
2008067902.tif 000004
【図３】
2008067902.tif 000005
【図４】
2008067902.tif 000006